(57)【要約】【課題】半田付けの作業性が良く、確実な半田付けが行えると共に、四角筒部の変形の少ない衛星放送受信用コンバータのフィードホーンを提供する。【解決手段】本発明の衛星放送受信用コンバータのフィードホーンは、金属板が折り曲げ形成された四角筒状のフィードホーン６を備え、このフィードホーン６の第３、第４の板状部９，１０は、四角筒部１１外で四角筒部１１の延びる方向に設けられた帯状の第１、第２の合わせ部９ｂ、１０ｂを有すると共に、第１，第２の合わせ部９ｂ、１０ｂは、四角筒部１１の延びる方向に対して直交する方向に段差を持って互いに合わされたため、広幅の合わせ部が半田の受けとなって、両者間の半田付け作業が容易で、確実な半田付けができる。【選択図】　　　　図２
2004048419.tif 000002
【特許請求の範囲】
【請求項１】
金属板が折り曲げ形成された四角筒状のフィードホーンを備え、このフィードホーンは、互いに繋がった状態で直角に折り曲げられた第１，第２の板状部と、前記第１の板状部に繋がった状態で直角に折り曲げられた第３の板状部と、前記第２の板状部に繋がった状態で直角に折り曲げられた第４の板状部とを有すると共に、前記フィードホーンは、前記第３，第４の板状部が互いに直角状態に合わされて、前記第１，第２，第３，第４の板状部で構成される四角筒部を備え、前記第３の板状部は、前記四角筒部外で前記四角筒部の延びる方向に設けられた帯状の第１の合わせ部を有すると共に、前記第４の板状部は、前記四角筒部外で前記四角筒部の延びる方向に設けられた帯状の第２の合わせ部を有し、前記第１，第２の合わせ部は、前記四角筒部の延びる方向に対して直交する方向に段差を持って互いに合わされたことを特徴とする衛星放送受信用コンバータのフィードホーン。
【請求項２】
前記第１，第２の合わせ部の一方は、前記平板部から同一平面上に延びて形成されると共に、前記第１，第２の合わせ部の他方は、前記平板部から直角に折り曲げられて形成されたことを特徴とする請求項１記載の衛星放送受信用コンバータのフィードホーン。
【請求項３】
前記第３，第４の平板部の一方には、前記平板部から同一平面上に延びる凸部が設けられると共に、前記第３，第４の平板部の他方には、前記凸部が嵌入する孔が設けられ、この孔に前記凸部を嵌入して、前記第３，第４の板状部が互いに直角状態に合わされたことを特徴とする請求項１、又は２記載の衛星放送受信用コンバータのフィードホーン。
【請求項４】
前記凸部の先端部が前記四角筒部の延びる方向にカシメられたことを特徴とする請求項３記載の衛星放送受信用コンバータのフィードホーン。
【請求項５】
前記平板部には、前記孔の外周から突出する舌片が設けられ、この舌片が折り曲げられて、前記凸部を有する前記平板部の外面上に重ね合わされたことを特徴とする請求項３、又は４記載の衛星放送受信用コンバータのフィードホーン。
【発明の詳細な説明】
【０００１】
【発明の属する技術分野】
本発明は衛星放送を受信する衛星放送受信用コンバータのフィードホーンに関する。
【０００２】
【従来の技術】
従来の衛星放送受信用コンバータのフィードホーンの図面を説明すると、図７は従来の衛星放送受信用コンバータの概要を示す側面図、図８は従来の衛星放送受信用コンバータのフィードホーンを示す斜視図、図９は図８の９−９線における断面図、図１０は図８の１０−１０線における断面図である。
【０００３】
次に、従来の衛星放送受信用コンバータのフィードホーンの構成を図７〜図１０に基づいて説明すると、金属板を折り曲げして形成された枠体５１は、上下が開放したロ字状で構成されている。
金属板からなる蓋体５２は、枠体５１の一方の開放部を塞ぐように、枠体５１に掛け止めして取り付けられている。
【０００４】
プリント基板からなる回路基板５３は、一面側のほぼ全面にわたって形成された接地用パターン５４を有すると共に、ここでは図示しないが、他面側に配線パターンが設けられ、この配線パターンには、種々の電気部品を搭載して所望の受信用の電気回路が形成されたものとなっている。
【０００５】
そして、このような回路基板５３は、電気部品（電気回路）を枠体５１内に位置した状態で、ロ字状の枠体５１の他方の開放部を塞ぐように、枠体５１に取り付けられる。
回路基板５３が枠体５１に取り付けられた際、接地用パターン５４は枠体５１から露出して、枠体５１内をシールドし、その結果、電気回路は、枠体５１，蓋体５２，及び接地用パターン５４によって電気的にシールドされた状態となっている。
【０００６】
同軸型のコネクタ５５は、枠体５１から外方に突出した状態で枠体５１に取り付けられ、このコネクタ５５には電気回路が接続されて、電気回路で処理された信号をコネクタ５５から取り出すようになっている。
【０００７】
金属板が折り曲げ形成された四角筒状のフィードホーン５６は、回路基板５３から垂直状態で接地用パターン５４に半田付けされて取り付けられ、このフィードホーン５６から衛星電波を受けるようになっている。
【０００８】
そして、フィードホーン５６は、特に図８〜図１０に示すように、互いに繋がった状態で直角に折り曲げられた第１，第２の板状部５７，５８と、第１の板状部５７に繋がった状態で直角に折り曲げられた第３の板状部５９と、第２の板状部５８に繋がった状態で直角に折り曲げられた第４の板状部６０とを有する。
また、このフィードホーン５６は、第３，第４の板状部５９，６０の端部が互いに直角状態に合わされて、第１，第２，第３，第４の板状部５７，５８，５９，６０によって構成される四角筒部６１を有する。
【０００９】
また、第３，第４の板状部５９，６０の合わせ箇所において、第３の板状部５９の端部には、外方に突出する複数個の舌片５９ａが設けられると共に、第４の板状部６０の端部には、第３の板状部５９の端部に係止する凸部６０ａが設けられている。
【００１０】
そして、第１，第２の板状部５７，５８から直角に折り曲げられた第３，第４の板状部５９，６０は、凸部６０ａが舌片５９ａ間に位置する第３の板状部５９の端部に直角状態で係止し、この状態で、図１０に示すように、舌片５９ａ（二点差線で示す）を矢印Ａ方向に折り曲げて、第４の板状部６０の外面上に舌片５９ａを重ね合わせる。
【００１１】
しかる後、第４の板状部６０の凸部６０ａと第３の板状部５９の合わせ箇所の外周には、四角筒部６１の延びる方向に半田６２付けをして、両者の隙間を無くすることによって、フィードホーン５６が形成されるようになっている。
【００１２】
【発明が解決しようとする課題】
従来の衛星放送受信用コンバータのフィードホーンは、第４の板状部６０の凸部６０ａと第３の板状部５９の合わせ箇所の狭小な部分に半田６２を行うため、その半田付け作業がしづらく、作業性が悪くなるという問題がある。
また、その狭小な部分に半田付けを行うと、半田が第４の板状部６０側に垂れて、合わせ箇所での半田量が少なくなって、半田付け不良となるばかりか、見栄えが悪くなるという問題がある。
また、舌片５９ａを矢印Ａ方向に折り曲げた際、第４の板状部６０が矢印Ｂ方向に押されて、四角筒部６１が菱形になるという問題がある。
【００１３】
そこで、本発明は半田付けの作業性が良く、確実な半田付けが行えると共に、四角筒部の変形の少ない衛星放送受信用コンバータのフィードホーンを提供することを目的とする。
【００１４】
【課題を解決するための手段】
上記課題を解決するための第１の解決手段として、金属板が折り曲げ形成された四角筒状のフィードホーンを備え、このフィードホーンは、互いに繋がった状態で直角に折り曲げられた第１，第２の板状部と、前記第１の板状部に繋がった状態で直角に折り曲げられた第３の板状部と、前記第２の板状部に繋がった状態で直角に折り曲げられた第４の板状部とを有すると共に、前記フィードホーンは、前記第３，第４の板状部が互いに直角状態に合わされて、前記第１，第２，第３，第４の板状部で構成される四角筒部を備え、前記第３の板状部は、前記四角筒部外で前記四角筒部の延びる方向に設けられた帯状の第１の合わせ部を有すると共に、前記第４の板状部は、前記四角筒部外で前記四角筒部の延びる方向に設けられた帯状の第２の合わせ部を有し、前記第１，第２の合わせ部は、前記四角筒部の延びる方向に対して直交する方向に段差を持って互いに合わされた構成とした。
【００１５】
また、第２の解決手段として、前記第１，第２の合わせ部の一方は、前記平板部から同一平面上に延びて形成されると共に、前記第１，第２の合わせ部の他方は、前記平板部から直角に折り曲げられて形成された構成とした。
【００１６】
また、第３の解決手段として、前記第３，第４の平板部の一方には、前記平板部から同一平面上に延びる凸部が設けられると共に、前記第３，第４の平板部の他方には、前記凸部が嵌入する孔が設けられ、この孔に前記凸部を嵌入して、前記第３，第４の板状部が互いに直角状態に合わされた構成とした。
【００１７】
また、第４の解決手段として、前記凸部の先端部が前記四角筒部の延びる方向にカシメられた構成とした。
また、第５の解決手段として、前記平板部には、前記孔の外周から突出する舌片が設けられ、この舌片が折り曲げられて、前記凸部を有する前記平板部の外面上に重ね合わされた構成とした。
【００１８】
【発明の実施の形態】
本発明の衛星放送受信用コンバータのフィードホーンの図面を説明すると、図１は本発明の衛星放送受信用コンバータの概要を示す側面図、図２は本発明の衛星放送受信用コンバータのフィードホーンの第１実施例に係る斜視図、図３は図２の３−３線における断面図、図４は図２の４−４線における断面図である。
【００１９】
また、図５は本発明の衛星放送受信用コンバータのフィードホーンの第２実施例に係り、フィードホーンの合わせ部における断面図、図６は本発明の衛星放送受信用コンバータのフィードホーンの第３実施例に係り、フィードホーンの凸部における断面図である。
【００２０】
次に、本発明の衛星放送受信用コンバータのフィードホーンの第１実施例の構成を図１〜図４に基づいて説明すると、金属板を折り曲げして形成された枠体１は、上下が開放したロ字状で構成されている。
金属板からなる蓋体２は、枠体１の一方の開放部を塞ぐように、枠体１に掛け止めして取り付けられている。
【００２１】
プリント基板からなる回路基板３は、一面側のほぼ全面にわたって形成された接地用パターン４を有すると共に、ここでは図示しないが、他面側に配線パターンが設けられ、この配線パターンには、種々の電気部品を搭載して所望の受信用の電気回路が形成されたものとなっている。
【００２２】
そして、このような回路基板３は、電気部品（電気回路）を枠体１内に位置した状態で、ロ字状の枠体１の他方の開放部を塞ぐように、枠体１に取り付けられる。
回路基板３が枠体１に取り付けられた際、接地用パターン４は枠体１から露出して、枠体１内をシールドし、その結果、電気回路は、枠体１，蓋体２，及び接地用パターン４によって電気的にシールドされた状態となっている。
【００２３】
同軸型のコネクタ５は、枠体１から外方に突出した状態で枠体１に取り付けられ、このコネクタ５には電気回路が接続されて、電気回路で処理された信号をコネクタ５から取り出すようになっている。
【００２４】
金属板が折り曲げ形成された四角筒状のフィードホーン６は、回路基板３から垂直状態で接地用パターン４に半田付けされて取り付けられ、このフィードホーン６から衛星電波を受けるようになっている。
【００２５】
そして、フィードホーン６は、特に図２〜図４に示すように、互いに繋がった状態で直角に折り曲げられた第１，第２の板状部７，８と、第１の板状部７に繋がった状態で直角に折り曲げられた第３の板状部９と、第２の板状部８に繋がった状態で直角に折り曲げられた第４の板状部１０とを有する。
また、このフィードホーン６は、第３，第４の板状部９，１０の端部が互いに直角状態に合わされて、第１，第２，第３，第４の板状部７，８，９，１０によって構成される四角筒部１１を有する。
【００２６】
また、第３，第４の板状部９，１０の合わせ箇所において、第３の板状部９には、間隔を置いて端部近傍に設けられた一対の孔９ａと、この孔９ａ間に位置し、板状部９から同一平面上に延びる帯状の第１の合わせ部９ｂと、孔９ａの外周から突出する舌片９ｃとを有する。
そして、この第１の合わせ部９ｂは、四角筒部１１外で、四角筒部１１の延びる方向に延びて形成されている。
【００２７】
また、第３，第４の板状部９，１０の合わせ箇所において、第４の板状部１０には、平板部１０から同一平面上に突出し、前記孔９ａに嵌入される凸部１０ａと、平板部１０の一端から直角に折り曲げられた帯状の第２の合わせ部１０ｂとを有する。
そして、この第２の合わせ部１０ｂは、四角筒部１１外で、四角筒部１１の延びる方向に延びて形成されていると共に、この第２の合わせ部１０ｂの幅（四角筒部１１の延びる方向に対して直交する方向の長さ）は、第１の合わせ部９ｂの幅より広く形成されている。
【００２８】
そして、第１，第２の板状部７，８から直角に折り曲げられた第３，第４の板状部９，１０は、互いに直角状態に合わされて、凸部１０ａが孔９ａに嵌入されて、凸部１０ａの先端部が四角筒部１１の延びる方向にカシメられる。
また、第３，第４の板状部９，１０が合わされた際、第１，第２の合わせ部９ｂ、１０ｂは、四角筒部１１の延びる方向に対して直交する方向に段差を持って互いに合わされた状態となっている。
【００２９】
即ち、図３に示すように、第１の合わせ部９ｂよりも第２の合わせ部１０ｂが長く突出し、この第２の合わせ部１０ｂの外端部から四角筒部１１寄りに第１の合わせ部９ｂが位置した状態となっている。
【００３０】
また、この状態で、図４に示すように、舌片９ｃ（二点差線で示す）を矢印Ａ方向に折り曲げて、第４の板状部１０の外面上に舌片９ｃを重ね合わせる。
この時、第４の板状部１０は、矢印Ｂ方向に押されるが、凸部１０ａが孔９ａに嵌入しているため、第４の板状部１０の矢印Ｂ方向への変形は、極めて少なくなって、四角筒部１１の変形が無くなる。
【００３１】
しかる後、第１，第２の合わせ部９ｂ、１０ｂの段差部分には、四角筒部１１の延びる方向に半田１２付けをして、両者の隙間を無くすることによって、フィードホーン６が形成されるようになっている。
この時、幅広の第２の合わせ部１０ｂが半田１２の受けとなって、両者間の半田付けが容易で、確実な半田付けができると共に、半田垂れの無いものが得られる。
【００３２】
なお、上記実施例では、第１の合わせ部９ｂが板状部９から同一平面上に延び、また、第２の合わせ部１０ｂが平板部１０から直角に折り曲げられたもので説明したが、第１の合わせ部９ｂが板状部９から直角に折り曲げられ、また、第２の合わせ部１０ｂが平板部１０から同一平面上に延びたものでも良い。
【００３３】
また、上記実施例では、第４の板状部１０の凸部１０ａが第３の板状部９に孔９ａに嵌入するようにしたが、第４の板状部１０に孔を設け、この孔に、第３の板状部９に設けた凸部を嵌入するようにしても良い。
【００３４】
また、図５は本発明の衛星放送受信用コンバータのフィードホーンの第２実施例を示し、この第２実施例は、第３の板状部９に設けた帯状の第１の合わせ部９ｂの幅を、第４の板状部１０に設けた第２の合わせ部１０ｂの幅より広くして、両者の段差部分に半田１２付けを行ったものである。
その他の構成は、前記第１実施例と同様であり、同一部品に同一番号を付し、ここではその説明を省略する。
【００３５】
また、図６は本発明の衛星放送受信用コンバータのフィードホーンの第３実施例を示し、この第３実施例は、第３の板状部９に設けた舌片９ｃを折り曲げせずに、直線状に延ばしたままにしたものである。
その他の構成は、前記第１実施例と同様であり、同一部品に同一番号を付し、ここではその説明を省略する。
【００３６】
【発明の効果】
本発明の衛星放送受信用コンバータのフィードホーンは、金属板が折り曲げ形成された四角筒状のフィードホーンを備え、このフィードホーンは、互いに繋がった状態で直角に折り曲げられた第１，第２の板状部と、第１の板状部に繋がった状態で直角に折り曲げられた第３の板状部と、第２の板状部に繋がった状態で直角に折り曲げられた第４の板状部とを有すると共に、フィードホーンは、第３，第４の板状部が互いに直角状態に合わされて、第１，第２，第３，第４の板状部で構成される四角筒部を備え、第３の板状部は、四角筒部外で四角筒部の延びる方向に設けられた帯状の第１の合わせ部を有すると共に、第４の板状部は、四角筒部外で四角筒部の延びる方向に設けられた帯状の第２の合わせ部を有し、第１，第２の合わせ部は、四角筒部の延びる方向に対して直交する方向に段差を持って互いに合わされた構成とした。
このような構成によって、第１，第２の合わせ部の段差部分に半田付けをした時、幅広の合わせ部が半田の受けとなって、両者間の半田付け作業が容易で、確実な半田付けができると共に、半田垂れの無いものが得られる。
【００３７】
また、第１，第２の合わせ部の一方は、平板部から同一平面上に延びて形成されると共に、第１，第２の合わせ部の他方は、平板部から直角に折り曲げられて形成されたため、第１，第２の合わせ部の加工が容易であると共に、両者の重ね合わせが確実にできる。
【００３８】
また、第３，第４の平板部の一方には、平板部から同一平面上に延びる凸部が設けられると共に、第３，第４の平板部の他方には、凸部が嵌入する孔が設けられ、この孔に凸部を嵌入して、第３，第４の板状部が互いに直角状態に合わされたため、第３，第４の平板部の合わせ箇所での係止状態が確実で、四角筒部の変形の少ないものが得られる。
【００３９】
また、凸部の先端部が四角筒部の延びる方向にカシメられたため、四角筒部の変形か少なく、第３，第４の平板部の合わせ箇所での結合を強固にできる。
【００４０】
また、平板部には、孔の外周から突出する舌片が設けられ、この舌片が折り曲げられて、凸部を有する平板部の外面上に重ね合わされたため、四角筒部の変形か少なく、第３，第４の平板部の合わせ箇所での結合を強固にできる。
【図面の簡単な説明】
【図１】本発明の衛星放送受信用コンバータの概要を示す側面図。
【図２】本発明の衛星放送受信用コンバータのフィードホーンの第１実施例に係る斜視図。
【図３】図２の３−３線における断面図。
【図４】図２の４−４線における断面図。
【図５】本発明の衛星放送受信用コンバータのフィードホーンの第２実施例に係り、フィードホーンの合わせ部における断面図。
【図６】本発明の衛星放送受信用コンバータのフィードホーンの第３実施例に係り、フィードホーンの凸部における断面図。
【図７】従来の衛星放送受信用コンバータの概要を示す側面図。
【図８】従来の衛星放送受信用コンバータのフィードホーンを示す斜視図。
【図９】図８の９−９線における断面図。
【図１０】図８の１０−１０線における断面図。
【符号の説明】
１　枠体
２　蓋体
３　回路基板
４　接地用パターン
５　コネクタ
６　フィードホーン
７　第１の板状部
８　第２の板状部
９　第３の板状部
９ａ　孔
９ｂ　第１の合わせ部
９ｃ　舌片
１０　第４の板状部
１０ａ　凸部
１０ｂ　第２の合わせ部
１１　四角筒部
１２　半田
【図１】
2004048419.tif 000003
【図２】
2004048419.tif 000004
【図３】
2004048419.tif 000005
【図４】
2004048419.tif 000006
【図５】
2004048419.tif 000007
【図６】
2004048419.tif 000008
【図７】
2004048419.tif 000009
【図８】
2004048419.tif 000010
【図９】
2004048419.tif 000011
【図１０】
2004048419.tif 000012